(57)【特許請求の範囲】
【請求項１】
バッテリを収納するための第１収納部と、該第１収納部と並んで配置された第２収納部とを有する本体ケースと、
外部の機器と接続可能な接続部を有し、少なくとも前記接続部が前記第２収納部に収納される第１位置と、前記接続部が前記本体ケースの外となる第２位置とに変位可能に該本体ケースに支持された接続部材と、
複数の位置に移動することで、前記第１収納部および第２収納部を開放する第１状態と該第１収納部を閉鎖し該第２収納部を開放する第２状態と該第１収納部および該第２収納部を閉鎖する第３状態との複数の状態間を遷移可能とする蓋とを備え、
前記接続部材が第１位置にあって、前記蓋が前記第１収納部および前記第２収納部を閉鎖する位置にあるとき、前記第１収納部および前記第２収納部は前記蓋によって閉鎖されるとともに、前記接続部は、該蓋、前記本体ケースおよび前記接続部材によって包囲されることを特徴とする電子機器。
【請求項２】
前記接続部材は、前記本体ケースに回転可能に支持される、請求項１に記載の電子機器。
【請求項３】
前記本体ケースが前記第１収納部と前記第２収納部とが並ぶ方向に延びる案内部を有する一方、前記蓋が前記案内部に係合する係合部を有し、
前記蓋は、前記係合部が前記案内部に係合しつつ案内されることにより移動する、請求項１に記載の電子機器。
【請求項４】
前記本体ケースは、前記第１収納部と前記第２収納部とを仕切る隔壁部を有し、
前記蓋は、前記第１収納部および前記第２収納部を閉鎖する位置から移動して、前記第１収納部を閉鎖し、かつ、前記第２収納部を開放する位置に到達したときに、前記壁と当接する規制部を有する、請求項３に記載の電子機器。
【請求項５】
前記規制部は、前記蓋が前記第１収納部および前記第２収納部を閉鎖する位置にあるとき、前記接続部が前記第２位置となっている状態で前記接続部材の遊動を規制する、請求項４に記載の電子機器。
【請求項６】
前記本体ケースは、前記第１収納部と前記第２収納部とを仕切り、被結合部を有する隔壁部を有し、
前記蓋は、前記第１収納部および前記第２収納部を閉鎖する位置で前記被結合部と結合可能な結合部を有する、請求項３に記載の電子機器。
【請求項７】
前記蓋は、前記接続部材が前記第２位置にあるときに、前記第１収納部および第２収納部を開閉可能である、請求項１に記載の電子機器。
【発明の詳細な説明】
【技術分野】
【０００１】
この発明は電子機器に関し、特に外部機器と接続可能な電子機器に関する。
【背景技術】
【０００２】
近年、パーソナルコンピュータとデータ通信するために、パーソナルコンピュータと接続するための接続端子を備えた電子機器が普及している。特開２００５−９１４０９号公報には、本体部を構成する第１筐体と、前記第１筐体に対して回動可能に、前記第１筐体に一端部が連結された第２筐体と、前記第１筐体に対する前記第２筐体の回転に係る回転軸に対して直交する回転軸回りで、前記第２筐体に対して回動可能に、前記第２筐体に一端部が連結された第３筐体と、前記第３筐体の他端部に突設された、外部装置との接続に用いる接続端子とを具えている、音声記録装置が記載されている。
【０００３】
しかしながら、コンピュータと接続することなく使用する場合には、接続端子が外部に露出することになるため、接続端子を覆う専用キャップを装着するなどの防塵対策をして接続端子を保護する必要がある。このため、専用キャップの着脱作業が煩わしいものであった。また、コンピュータと接続時にはキャップが本体と分離されるので、使用中にキャップを紛失してしまう恐れがある。
【特許文献１】特開２００５−９１４０９号公報
【発明の開示】
【発明が解決しようとする課題】
【０００４】
この発明は上述した問題点を解決するためになされたもので、この発明の目的の一つは、外部の機器と接続するための接続部を保護した電子機器を提供することである。
【課題を解決するための手段】
【０００５】
上述した目的を達成するためにこの発明のある局面によれば、電子機器は、バッテリを収納するための第１収納部と、該第１収納部と並んで配置された第２収納部とを有する本体ケースと、外部の機器と接続可能な接続部を有し、少なくとも接続部が第２収納部に収納される第１位置と、接続部が第２収納部の外となる第２位置とに変位移可能に本体ケースに支持された接続部材と、接続部材が第１位置にあるときに、第１収納部および第２収納部を開閉可能な蓋と、を備える。
【０００６】
この発明に従えば、本体ケースは、バッテリを収納するための第１収納部と、それに並んで配置された第２収納部とを有する。接続部材は、外部の機器と接続可能な接続部を有し、少なくとも接続部が第２収納部に収納される第１位置と、接続部が第２収納部の外となる第２位置とに変移可能に本体ケースに支持される。蓋は、接続部材が第１位置にあるときに第１収納部および第２収納部を閉鎖する。接続部材が第１位置にあるとき、接続部は第２収納部に収納されているので、蓋で第２収納部が閉鎖されると接続部が蓋によって外部から遮断される。このため、接続部が塵や埃で汚れたり、外的な力が加わって破壊されたりするのを防止することができる。その結果、外部の機器と接続するための接続部を保護した電子機器を提供することができる。
【０００７】
好ましくは、接続部材は、本体ケースに回転可能に支持される。
【０００８】
この発明に従えば、接続部材を本体ケースに対して回転させれば、接続部が第２収納部から外に出るので、簡単な操作で接続部を外部機器と接続可能な状態にすることができる。
【０００９】
好ましくは、本体ケースが第１収納部と第２収納部とが並ぶ方向に延びる案内部を有する一方、蓋が案内部に係合する係合部を有し、蓋は、係合部が案内部に係合しつつ案内されることにより移動する。
【００１０】
この発明に従えば、本体ケースが、第１収納部と第２収納部とが並ぶ方向に延びる案内部を有し、蓋が、案内部に係合する係合部を有する。そして、蓋は、係合部が案内部に係合しつつ案内されることにより移動する。蓋は、第１収納部と第２収納部とが並ぶ方向に移動可能となるため、第１収納部および第２収納部のいずれか一方を閉鎖したまま他方を開放することができる。
【００１１】
好ましくは、本体ケースは、第１収納部と第２収納部とを仕切る隔壁部を有し、蓋は、第１収納部および第２収納部を閉鎖する位置から移動して、第１収納部を閉鎖し、かつ、第２収納部を開放する位置に到達したときに、壁と当接する規制部を有する。
【００１２】
この発明に従えば、蓋は、隔壁部と当接する規制部を有するので、蓋を第１収納部および第２収納部が閉鎖される位置から移動させると、蓋が第１収納部を閉鎖し、かつ、第２収納部を開放する位置に到達した時に蓋の移動が規制される。このため、蓋を移動させて第１収納部だけを容易に開口させることができる。
【００１３】
好ましくは、規制部は、蓋が第１収納部および第２収納部を閉鎖する位置にあるとき、第２位置にある接続部材の遊動を規制する。
【００１４】
この発明に従えば、規制部は、蓋が第１収納部および第２収納部を閉鎖する位置にあるとき、第２位置にある接続部材の遊動を規制するので、接続部を第２収納部に収納した状態で固定することができる。
【００１５】
好ましくは、本体ケースは、第１収納部と第２収納部とを仕切り、被結合部を有する隔壁部を有し、蓋は、第１収納部および第２収納部を閉鎖する位置で被結合部と結合可能な結合部を有する。
【００１６】
この発明に従えば、蓋は、第１収納部および第２収納部を閉鎖する位置で、結合部が本体ケースに設けられた被結合部と結合する。このため、蓋が本体ケースに固定され、脱落するのを防止することができる。
【００１７】
好ましくは、蓋は、接続部材が第２位置にあるときに、第１収納部および第２収納部を開閉可能である。
【００１８】
この発明に従えば、接続部が第２位置にあるときに、接続部は収納部の外部に出た状態となり、外部の機器と接続可能となる。接続部が第２位置にあるときに、第１および第２収納部が蓋により閉鎖されるので、電子機器を外部の機器と接続した状態で、第２収納部および第１収納部を閉鎖することができる。
【発明を実施するための最良の形態】
【００１９】
以下、本発明の実施の形態について図面を参照して説明する。以下の説明では同一の部品には同一の符号を付してある。それらの名称および機能も同じである。したがってそれらについての詳細な説明は繰返さない。
【００２０】
本実施の形態においては、電子機器の一例として音声記録装置を例に説明する。図１は、本発明の実施の形態の１つにおける音声記録装置の外観を示す図である。図１（Ａ）〜図１（Ｅ）は、音声記録装置１００の正面、背面、左側面、平面および底面をそれぞれ示す図である。音声記録装置１００は、マイクを備えており、マイクで集音した音声を、電子データとして集積回路（ＩＣ）メモリなどの半導体メモリに記憶する。音声記録装置１００は、マイクが集音して出力するアナログの音声信号を、デジタル信号に変換するＡ／Ｄ（アナログ／デジタル）変換器、デジタルの音声信号を処理するデジタルシグナルプロセッサ（ＤＳＰ）を備えており、デジタルの音声信号をＩＣメモリに記憶する。このＩＣメモリは、音声記録装置１００に着脱可能であってもよい。
【００２１】
また、音声記録装置１００は、パーソナルコンピュータ等との間でデータを送受信するための通信機能を有する。このため、音声記録装置１００は、パーソナルコンピュータと接続するための接続部を有する。ここでは、接続部は、ＵＳＢ（Ｕｎｉｖｅｒｓａｌ  Ｓｅｒｉａｌ  Ｂｕｓ）端子である。音声記録装置は、ＤＳＰで処理された音声信号、または、ＩＣメモリに記録された音声信号を、ＵＳＢ端子を介して接続されたパーソナルコンピュータに送信することが可能であり、また、パーソナルコンピュータからＵＳＢ端子を介して音声信号を受信して、ＩＣメモリに記録することが可能である。
【００２２】
また、音声記録装置１００は、Ｄ/Ａ（デジタル／アナログ）変換器、増幅器およびスピーカを備えており、再生機能を有する。音声記録装置１００は、ＩＣメモリから読み出したデジタルの音声信号を、ＤＳＰで処理した後、Ｄ/Ａ変換器でアナログ信号に変換し、増幅器で増幅した後に、スピーカに出力する。これにより、ＩＣメモリに記録された音声信号が再生されて、スピーカから音声が出力される。
【００２３】
図２は、Ａ−Ａ線断面図である。図３は、Ｂ−Ｂ線断面図である。図４は、Ｃ−Ｃ線断面図である。図２、図３および図４を参照して、音声記録装置１００は、本体ケース１と、本体ケース１に着脱可能な蓋３０と、接続部５１と、基部５０とを備えている。蓋３０は、音声記録装置１００の裏面に設けられる。本体ケース１は、蓋３０が本体ケース１から取り外されると外部に開放されるバッテリ収納部１０および接続部収納部２０を備える。バッテリ収納部１０は、バッテリ６０を収納可能である。バッテリ収納部１０と接続部収納部２０とは、本体ケース１の長手方向に並んで配置される。バッテリ収納部１０と接続部収納部２０との間には、隔壁４０が備えられる。隔壁４０は、接続部収納部２０の壁の一部を構成し、接続部収納部２０と反対の方向に延び、一端に本体ケース内部に向かって突出する固定部４１を有する。
【００２４】
基部５０は、回転軸５２を有し、回転軸５２は、本体ケース１の軸受部２で軸支される。これにより、基部５０は、回転軸５２を中心にして、本体ケース１に対して回転可能である。接続部５１は、ＵＳＢ規格の凸側の端子であり、基部５０に固定される。接続部５１と基部５０とで接続部材が構成される。接続部５１が、パーソナルコンピュータ等が備えるＵＳＢ規格の凹側の端子に差し込まれることにより、音声記録装置１００がパーソナルコンピュータと接続される。図２では、接続部５１が接続部収納部２０に収納された状態を示しており、ここでは、図２に示す接続部５１および基部５０の位置を第１の位置という。接続部５１は、第１の位置にあるとき、接続部収納部２０の壁の一部を構成する隔壁４０に当接する。このため、隔壁４０により基部５０が回転軸５２を中心にして図中反時計方向に回転する動きが規制される。
【００２５】
蓋３０は、接続部収納部２０側の端部に、蓋３０の裏面（本体ケース側）に突出する規制部３１を備える。図２では、蓋３０が本体ケース１と完全に結合した状態を示している。蓋３０が、本体ケース１と完全に結合した状態では、本体ケース１のバッテリ収納部１０と接続部収納部２０とが、蓋３０により閉鎖され、それらが本体ケース１の外部と遮断される。蓋３０が、本体ケース１と完全に結合した状態では、蓋３０の規制部３１が接続部５１に当接する。このため、規制部３１は、基部５０が回転軸５２を中心にして図中時計方向に回転するのを規制する。したがって、規制部３１は、蓋３０が本体ケース１と完全に結合した状態では、接続部５１が接続部収納部２０内で遊動するのを規制する。なお、ここでは規制部３１が接続部５１に当接する例を示したが、規制部３１が基部５０と当接するようにしてもよい。これによっても、基部５０の回転を規制することができる。いずれにしても、規制部３１は、蓋３０が本体ケース１と完全に結合した状態で、接続部５１および基部５０で構成される接続部材に当接すればよい。
【００２６】
本体ケース１は、バッテリ収納部１０と接続部収納部２０とが並ぶ方向に延びる２つの案内溝３を有する。蓋３０は、長手方向の２つの端面に係合突起３３を有する。蓋３０の係合突起３３は、本体ケース１の案内溝３に係合する。このため、蓋３０は、係合突起３３が案内溝３に係合した状態で、本体ケース１の長手方向に移動することが可能となる。
【００２７】
蓋３０は、本体ケース１とその全体が結合した位置にあるときに、バッテリ収納部１０側から接続部収納部２０側に向かって、隔壁４０の固定部４１の下方に延びる結合部３２を有する。結合部３２は、先端が接続部収納部２０側からバッテリ収納部１０側に向かって徐々に蓋３０方向との間の距離が短くなる略三角形の端部を有する。蓋３０が、本体ケース１とその全体が結合した位置にあるとき、結合部３２の端部が、隔壁４０の固定部４１よりも接続部収納部２０側に位置し、結合部３２と固定部４１とが結合する。結合部３２の端部が、隔壁４０の固定部４１よりも接続部収納部２０側に位置するので、蓋３０が接続部収納部２０側からバッテリ収納部１０側に向かう方向に移動するのが規制される。このため、蓋３０が、本体ケース１とその全体が結合する位置にあるとき、蓋３０が本体ケース１から脱落するのが防止される。
【００２８】
蓋３０は、好ましくは樹脂などで成形される。蓋３０が、本体ケース１とその全体が結合する位置で、蓋３０の隔壁４０の固定部４１に対向する位置に本体ケース１の外部から力が加わると、蓋３０が本体ケース１の内部方向に撓む。これにより、結合部３２が蓋３０の撓み量に応じて変位するため、固定部４１との結合が解除される。このため、蓋３０が、接続部収納部２０からバッテリ収納部１０に向かう方向に移動可能な状態となる。
【００２９】
図５は、音声記録装置１００の接続部５１の回転動作を説明するための図である。図５（Ａ）は、接続部５１を収納した状態の音声記録装置１００を裏面方向から見た斜視図である。接続部５１が接続部収納部２０に収納された位置にあり、かつ、蓋３０がバッテリ収納部１０および接続部収納部２０を閉鎖する位置にある。裏面は、本体ケース１と蓋３０と基部５０とで構成され、段差の少ない形状となっている。このため、音声記録装置１００を、服のポケットなどに収納しやすい。
【００３０】
図５（Ｂ）は、蓋３０を接続部収納部２０が開放する位置まで移動させた状態の音声記録装置１００を裏面方向から見た斜視図である。接続部５１が接続部収納部２０に収納された位置にある。蓋３０が接続部収納部２０の開放する位置まで移動しているので、蓋３０の規制部３１が接続部５１から離れる。このため、接続部５１および基部５０が本体ケース１の外側に回転可能となる。
【００３１】
図５（Ｃ）および図５（Ｄ）は、接続部５１および基部５０を本体ケース１の外側に回転させた後の音声記録装置１００を裏面方向から見た斜視図である。図５（Ｃ）は、蓋３０を接続部収納部２０が開放する位置まで移動させた状態を示しており、図５（Ｄ）は、蓋３０を接続部収納部２０が閉鎖する位置まで移動させた状態を示している。接続部５１および基部５０を本体ケース１の外側に回転させた後に、蓋３０を接続部収納部２０が閉鎖する位置まで移動させることができる。このため、接続部５１および基部５０を本体ケース１の外側に回転させた後に蓋３０が本体ケース１に完全に結合した状態とすることができる。この状態においても、蓋３０の結合部３２は、本体ケースの固定部４１と結合する。
【００３２】
図５（Ｅ）および図５（Ｆ）は、蓋３０を接続部収納部２０およびバッテリ収納部１０が開放する位置まで移動させた状態の音声記録装置１００を裏面方向から見た斜視図である。バッテリ収納部１０が開放されるので、本体ケース１からバッテリ６０を取り出す、または、収納することが可能となる。
【００３３】
図６は、蓋３０を接続部収納部２０が開放する位置まで移動させた状態における音声記録装置１００のＡ−Ａ線断面図である。蓋３０が、接続部収納部２０を閉鎖する位置からの移動は、蓋３０が接続部収納部２０側からバッテリ収納部１０側に向かう方向である。蓋３０が、接続部収納部２０が閉鎖する位置から移動して、接続部収納部２０が開放する位置まで移動すると、蓋３０の規制部３１が、本体ケース１に設けられた隔壁４０に当接する。このため、蓋３０の移動を妨げる力が働く。蓋３０は、樹脂で形成されているため、弾性を有し、蓋３０にそれが移動する方向により大きな力が加わると、蓋３０が本体ケース１の外側に変形して隔壁４０による規制部３１の規制が解除される。これにより、蓋３０が移動することが可能となり、蓋３０の移動に伴って規制部３１が隔壁４０を乗り越える。さらに、蓋３０が移動すると、バッテリ収納部１０が開放される。
【００３４】
図７は、蓋３０をバッテリ収納部１０の一部が開放する位置まで移動させた状態における音声記録装置１００のＡ−Ａ線断面図である。図７に示す状態では、蓋３０の係合突起３３が、本体ケース１の案内溝３と未だ係合している。
【００３５】
図８は、蓋３０をバッテリ収納部１０の全部が開放する位置まで移動させた状態における音声記録装置１００のＡ−Ａ線断面図である。図８に示す状態では、蓋３０の係合突起３３が、本体ケース１の案内溝３と係合しなくなるため、蓋３０が本体ケース１から分離される。
【００３６】
以上説明したように、本実施の形態における音声記録装置１００は、接続部５１が接続部収納部２０に収納されているとき、蓋３０が接続部収納部２０を閉鎖するので、接続部５１が蓋３０によって外部から遮断される。このため、接続部５１が塵や埃で汚れたり、外的な力が加わって破壊されたりするのを防止できる。
【００３７】
また、接続部５１が固定される基部５０は、本体ケース１に回転可能に支持されるので、基部５０を本体ケース１に対して回転させる簡単な操作で、接続部５１を本体ケース１の外に向けることができる。
【００３８】
また、本体ケース１が、バッテリ収納部１０と接続部収納部２０とが並ぶ方向に延びる案内溝３を有し、蓋３０は、係合突起３３が本体ケース１の案内溝３に係合しつつ案内されることにより移動する。このため、蓋３０は、バッテリ収納部１０と接続部収納部２０とが並ぶ方向に移動可能となるため、バッテリ収納部１０を閉鎖したまま、接続部収納部２０を開放することができる。
【００３９】
また、蓋３０は、隔壁４０と当接する規制部３１を有するので、蓋３０を接続部収納部２０を閉鎖する位置から移動させると、蓋３０がバッテリ収納部１０を閉鎖し、かつ、接続部収納部２０を開放する位置に到達した時に蓋の移動が規制される。このため、蓋３０を移動させて接続部収納部２０だけを容易に開放させることができる。
【００４０】
また、規制部３１は、蓋３０がバッテリ収納部１０および接続部収納部２０を閉鎖する位置にあるとき、接続部収納部２０に収納された接続部５１に当接し、基部５０の回転を規制する。このため、接続部５１の接続部収納部２０内での遊動を規制し、接続部５１を固定することができる。
【００４１】
また、蓋３０は、バッテリ収納部１０および接続部収納部２０を閉鎖する位置で、結合部３２が本体ケース１に設けられた固定部４１と結合する。このため、蓋３０を本体ケース１に固定することができる。
【００４２】
また、接続部５１が接続部収納部２０の外にあるときに、蓋３０はバッテリ収納部１０および接続部収納部２０を閉鎖するので、接続部５１をパーソナルコンピュータ等に接続した状態で、バッテリ収納部１０および接続部収納部２０を閉鎖することができ、蓋３０が本体ケース１からはみ出すのを防止できる。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態の１つにおける音声記録装置の外観を示す図である。
【図２】Ａ−Ａ線断面図である。
【図３】Ｂ−Ｂ線断面図である。
【図４】Ｃ−Ｃ線断面図である。
【図５】音声記録装置１００の接続部５１の回転動作を説明するための図である。
【図６】蓋を接続部収納部が開放する位置まで移動させた状態における音声記録装置のＡ−Ａ線断面図である。
【図７】蓋をバッテリ収納部の一部が開放する位置まで移動させた状態における音声記録装置のＡ−Ａ線断面図である。
【図８】蓋をバッテリ収納部の全部が開放する位置まで移動させた状態における音声記録装置のＡ−Ａ線断面図である。
【符号の説明】
【００４５】
１００  音声記録装置、１  本体ケース、２  軸受部、３  案内溝、１０  バッテリ収納部、２０  接続部収納部、３０  蓋、３１  規制部、３２  結合部、３３  係合突起、４０  隔壁、４１  固定部、５０  基部、５１  接続部、５２  回転軸、６０  バッテリ。
【図１】
0004693548.tif 000002
【図２】
0004693548.tif 000003
【図３】
0004693548.tif 000004
【図４】
0004693548.tif 000005
【図５】
0004693548.tif 000006
【図６】
0004693548.tif 000007
【図７】
0004693548.tif 000008
【図８】
0004693548.tif 000009